(57)【要約】【課題】  スマートフォンに接続して使用される充電ケーブルやイヤホンコード等の電気ケーブルを束ねたり、或いは挟んだりして手軽に使用されるクリップを提供する。【解決手段】  先端３ａから基端３ｃに向かって円弧状の一対の挟み部材３ｂ，３ｂが凹状に形成された内径側の内面９を対向配置されて内径部に挟み孔９ｂを形成してなる挟み部３と、一対の挟み部材３ｂ，３ｂの基端３ｃ，３ｃを一体に連結して弾性を有すると共に、一対の挟み部材３ｂ，３ｂの先端３ａを互いに突き合わす方向に付勢するヒンジ部５と、ヒンジ部５から、挟み部３とは反対方向に向かって互いに拡開して延設されてなる一対のレバー７ａ，７ａによって構成されてなる摘まみ部７と、を備えている。【選択図】  図１
0003216180.tif 000002
【実用新案登録請求の範囲】
【請求項１】
先端から基端に向かって円弧状の一対の挟み部材が凹状に形成された内径側の内面を対向配置されて内径部に挟み孔を形成してなる挟み部と、
前記一対の挟み部材の基端を一体に連結して弾性を有すると共に、前記一対の挟み部材の先端を互いに突き合わす方向に付勢するヒンジ部と、
前記ヒンジ部から、前記挟み部とは反対方向に向かって互いに拡開して延設されてなる一対のレバーによって構成されてなる摘まみ部と、を備え、
前記挟み孔の内面は、波状の凹凸面を形成してなり、
前記一対の挟み部材の向かい合う先端部分には、互いを引き付け合わせる磁石が設けられてなる、
ことを特徴とするクリップ。
【請求項２】
前記挟み部の外面が動物を模した形状に形成されてなる、
ことを特徴とする請求項１に記載のクリップ。
【考案の詳細な説明】
【技術分野】
【０００１】
本考案は、スマートフォン等の携帯型情報端末機器に接続して使用される充電ケーブルやイヤホンコード等の電気ケーブルを束ねたり、或いは挟んだりして手軽に使用されるクリップに関する。
【背景技術】
【０００２】
従来のクリップ構造の一例として、Ｓ字板状の一対のクリップ部材を対向配置し、該一対のクリップ部材を、ヒンジ部を介して連結すると共に、該ヒンジ部に、一対のクリップ部材の挟み部位を閉じ方向に付勢する手段を設け、一対のクリップ部材の挟み部位の先端に櫛歯部を形成すると共に、どちらか一方のクリップ部材の摘み部位に、取り付け対象の一部へ取り付け可能な取着手段を設けてなるクリップが開示されている（特許文献１参照）。
【先行技術文献】
【特許文献】
【０００３】
【特許文献１】特開２０１５−８６９３３号公報
【考案の概要】
【考案が解決しようとする課題】
【０００４】
しかし、スマートフォンに使用される電気ケーブルは、ケーブル自体が細く長いために、鞄等に入れて持ち運びする際、ケーブルがもつれることが多く、電気ケーブルを使用するたびに、もつれた電気ケーブルを解きほぐさなければならないという課題があった。
【課題を解決するための手段】
【０００５】
そこで、前記課題を解決するための手段として本考案に係るクリップは、先端から基端に向かって円弧状の一対の挟み部材が凹状に形成された内径側の内面を対向配置されて内径部に挟み孔を形成してなる挟み部と、前記一対の挟み部材の基端を一体に連結して弾性を有すると共に、前記一対の挟み部材の先端を互いに突き合わす方向に付勢するヒンジ部と、前記ヒンジ部から、前記挟み部とは反対方向に向かって互いに拡開して延設されてなる一対のレバーによって構成されてなる摘まみ部と、を備え、前記挟み孔の内面は、波状の凹凸面を形成してなり、前記一対の挟み部材の向かい合う先端部分には、互いを引き付け合わせる磁石が設けられてなる、ことを特徴としている。
【０００６】
また、前記挟み部の外面が動物を模した形状に形成されてなる、ことを特徴としている。
【０００７】
前記挟み部と、前記ヒンジ部と、前記摘まみ部とは、合成樹脂による一体成形で形成されてなることも好ましい。その際、前記磁石はインサート成形による一体成形によって前記先端部分に埋設されてなることが好ましい。
【０００８】
前記挟み孔の内面は、前記波状の凹凸面を形成されてなるために、前記凹凸面で電気ケーブルの細い線を噛むように挟むことができるので、挟んだ状態で位置ずれが起こらなくなり、電気ケーブルを確実に挟むことができる。
【０００９】
前記ヒンジ部は、前記一対の挟み部材の基端を一体に連結して弾性を有してなるので、前記一対のレバーを摘まむことにより、前記ヒンジ部が折れ曲がって、前記挟み部を開くことができる。また前記ヒンジ部は、前記一対の挟み部材の先端を互いに突き合わす方向に付勢するように形成されてなると共に、前記磁石の引き付け合わせる磁力によって、前記クリップの挟力を向上することができる。
【００１０】
前記一対のレバーには、前記挟み部の径方向外側の外面と連続する面に、半球状の小さい凸形状の突起を設けてなることが好ましく、親指と人差し指で摘まむ際に、前記突起による滑り止め効果が出ることにより、前記摘まみ部が摘まみ易くなる。
【００１１】
前記一対の挟み部材の向かい合う先端部分に、互いに引き付け合わせる磁石が設けられてなることが好ましい。前記先端部分が当接している状態において、前記挟み部が閉じ方向に向かって前記磁石同士が吸着してなる。なお、一方の先端部分には、他方の先端部分に設けられた磁石に吸着可能な金属が設けられていても良い。
【００１２】
前記挟み部の外面は、動物を模した形状に形成されてなることとしても良い。また動物以外のバリエーションとして、たとえばキャラクター、或いはキャラクター以外であっても良く、それらのデザインにより、前記クリップに親近感を醸し出すことができる。
【考案の効果】
【００１３】
本考案のクリップによれば、スマートフォンに使用される電気ケーブル等の細い線を挟み孔の凹凸面で噛むように確実に挟み、かつ磁石の磁力で一対の挟み部材の先端部分を強く当接させることができるので、スマートフォンを使用するときや、鞄等に入れて持ち運びするときに、長い電気ケーブルのばたつきや、もつれることを防止し、快適、かつ手軽に使用することができる。
【図面の簡単な説明】
【００１４】
【図１】本考案の一実施例を示し、クリップ１の正面図（ａ）、および右側面図（ｂ）である。
【図２】図１のＡ−Ａ断面図である。
【図３】本考案の一実施例を示し、クリップ１の斜視図である。
【図４】本考案の一実施例を示し、クリップ１の一対のレバー７ａ，７ａを使用者の親指Ｔと人差し指Ｆで摘まんで一対の挟み部材３ｂ，３ｂが開いた状態の参考正面図である。
【図５】図４の一対の挟み部材３ｂ，３ｂが開いた状態（親指Ｔと人差し指Ｆは図示せず。）の参考斜視図である。
【図６】本考案の一実施例の使用状態を示し、電気ケーブルＫとシャツＳをクリップ１で挟んだ状態の参考斜視図である。
【図７】本考案の一実施例の使用状態を示し、電気ケーブルＫをつづら折りに束ねて、クリップ１で挟んだ状態の参考斜視図である。
【図８】本考案の一実施例を示し、クリップ１の挟み部３の外面１１が動物を模した形状１７に形成されたクリップ１の斜視図である。
【考案を実施するための形態】
【００１５】
以下、本考案に係る実施の形態を図１乃至図８を参照しながら詳しく説明する。
【００１６】
本考案のクリップ１は、図１乃至図３に示すように、先端３ａから基端３ｃに向かって円弧状の一対の挟み部材３ｂ，３ｂが凹状に形成された内径側の内面９を対向配置されて内径部に挟み孔９ｂを形成してなる挟み部３と、一対の挟み部材３ｂ，３ｂの基端３ｃ，３ｃを一体に連結して弾性を有すると共に、一対の挟み部材３ｂ，３ｂの先端３ａ，３ａを互いに突き合わす方向に付勢するヒンジ部５と、ヒンジ部５から、挟み部３とは反対方向に向かって互いに拡開して延設されてなる一対のレバー７ａ，７ａによって構成されてなる摘まみ部７と、を備えている。
【００１７】
また、クリップ１は、挟み部３と、ヒンジ部５と、摘まみ部７とが、弾力性を有するエラストマー等の合成樹脂によって一体成形により形成されている。また、ヒンジ部５の肉厚が、一対の挟み部材３ｂ、３ｂ、および一対のレバー７ａ，７ａのそれぞれの肉厚の略半分で形成されてなる。
【００１８】
また、挟み孔９ｂの内面９は、波状の凹凸面９ａを形成している。なお、凹凸面９ａは、波形状ではなく、鋸形状であっても良い。さらに、一対の挟み部材３ｂ，３ｂの向かい合う先端３ａ，３ａ部分に、互いに引き付け合う磁石１５，１５が設けられてなる。
【００１９】
また、挟み孔９ｂの内面９に凹凸面９ａを形成してなるので、図７に示すように、電気ケーブルＫを挟み孔９ｂに挿入することにより、凹凸面９ａで電気ケーブルＫの細い線を噛むように挟むことができるので、電気ケーブルＫの位置ずれが起こらないため、確実に電気ケーブルＫを挟むことができる。
【００２０】
また、一対の挟み部材３ｂ，３ｂが向かい合う先端３ａ，３ａ部分に、互いに引き付け合う磁石１５，１５が設けられているので、先端３ａ，３ａが当接している状態において、磁石１５，１５の吸着力で先端３ａ，３ａ部分が閉じられている。
【００２１】
また、一対のレバー７ａ，７ａは、親指Ｔと人差し指Ｆで摘まむ部分に、半球状の小さい凸形状の突起１３を設けている。図４に示すように、親指Ｔと人差し指Ｆで摘まむ際に、半球状の突起１３により滑り止め効果が出ることによって、一対の摘まみ部７が摘まみ易くなる。
【００２２】
このようにしてなるクリップ１は、ヒンジ部５の肉厚が挟み部３の肉厚の略半分で形成されてなるので、図４及び図５に示すように、一対のレバー７ａ，７ａを親指Ｔと人差し指Ｆで摘まむことにより、肉厚が薄いヒンジ部５が折れ曲がって、一対の挟み部材３ｂ，３ｂを開くことができる。
【００２３】
また、このようにしてなるクリップ１は、図６に示すように、スマートフォンを使用中に、クリップ１で電気ケーブルＫとシャツＳとを一緒に挟んで、風等で電気ケーブルＫがばたつかないようにシャツＳに留めることができる。
【００２４】
また、図７に示すように、電気ケーブルＫをつづら折りに束ねて、クリップ１で挟んだ状態にして、鞄等に入れて電気ケーブルＫを持ち運ぶことができる。
【００２５】
また、図８に示すように、本考案のクリップ１は、一対の挟み部材３ｂ，３ｂの外面１１に、動物を模した形状１７を形成することによって、クリップ１に親近感を醸し出して使用することができる。
【００２６】
このように本考案によれば、一対の挟み部材３ｂ，３ｂの内面９に凹凸面９ａを形成し、かつ一対の挟み部材３ｂ，３ｂの先端３ａ，３ａ部分に磁石１５，１５を設け、挟み部３、ヒンジ部５、摘まみ部７が一体に形成されてなるので、製造コストが廉価で、かつ電気ケーブルＫを確実に挟むことができる挟力を備えたクリップ１を提供することができる。
【符号の説明】
【００２７】
１    クリップ
３    挟み部
３ａ    先端
３ｂ    挟み部材
３ｃ    基端
５    ヒンジ部
７    摘まみ部
７ａ    レバー
９    内面
９ａ    凹凸面
９ｂ    挟み孔
１１    外面
１３    突起
１５    磁石
１７    動物を模した形状
Ｋ    電気ケーブル
Ｆ    人差し指
Ｓ    シャツ
Ｔ    親指
【図１】
0003216180.tif 000003
【図２】
0003216180.tif 000004
【図３】
0003216180.tif 000005
【図４】
0003216180.tif 000006
【図５】
0003216180.tif 000007
【図６】
0003216180.tif 000008
【図７】
0003216180.tif 000009
【図８】
0003216180.tif 000010